(57)【要約】【課題】  アンテナの受信方向を求める方向検索処理に要する時間を短縮することが可能な受信装置を提供する。【解決手段】  全方向検索では指定結果Ａ１に示されるように４方向に対して検索処理が行なわれ、第１，第２の検索処理では指定結果Ａ２，Ａ３に示されるようにそれぞれ指定方向を中心とした２方向に対して検索処理が行なわれる。検索回数は８回になり、１６方向に受信方向を切換えることが可能なアンテナでは全方向を検索する場合に比較して検索回数が半分になる。全方向検索時に大まかなアンテナの受信方向を決定することによって以後の方向検索に要する時間が短縮される。【選択図】        図５
2006042161.tif 000002
【特許請求の範囲】
【請求項１】
受信方向の切換えが可能なアンテナに対して前記受信方向を指定して放送信号を受信する受信装置であって、
前記放送信号を受信して前記放送信号の受信状態を示す受信情報を出力する受信部を備え、
前記受信部は、
デジタルテレビ放送信号を受信し、所定の誤り訂正処理を行なって得られる誤り率に応じた前記受信情報を出力するデジタルデコーダと、
アナログテレビ放送信号を受信し、所定の同期信号捕捉処理を行なった結果に応じた前記受信情報を出力するアナログデコーダとを含み、
初期方向および前記初期方向から３６０度にわたり９０度ずつ回転させた方向の各々を前記アンテナに対して指定し、各方向に対応する前記受信情報を受けて前記受信状態を判定して第１の受信方向を決定し、前記第１の受信方向から正および負の向きに４５度ずつ回転させた第１，第２の方向を前記アンテナに対して各々指定し、前記第１，第２の方向の各々に対応する前記受信情報を受けて前記受信状態を判定し、前記第１の受信方向の判定結果と前記第１，第２の方向の各々の判定結果から第２の受信方向を決定し、前記第２の受信方向から正および負の向きに２２．５度ずつ回転させた第３，第４の方向を前記アンテナに対して各々指定し、前記第３，第４の方向の各々に対応する前記受信情報を受けて前記受信状態を判定し、前記第２の受信方向の判定結果と前記第３，第４の方向の各々の判定結果から第３の受信方向を決定し、前記第３の受信方向を前記放送信号の前記受信方向として決定する方向決定部をさらに備える、受信装置。
【請求項２】
受信方向の切換えが可能なアンテナに対して前記受信方向を指定して放送信号を受信する受信装置であって、
前記放送信号を受信して前記放送信号の受信状態を示す受信情報を出力する受信部と、
初期方向および前記初期方向から３６０度にわたり第１の角度ずつ回転させた方向の各々を前記アンテナに対して指定し、各方向に対応する前記受信情報を受けて前記受信状態を判定して第１の受信方向を決定し、前記第１の受信方向から正および負の向きに前記第１の角度より小さい第２の角度ずつ回転させた第１，第２の方向を前記アンテナに対して各々指定し、前記第１，第２の方向の各々に対応する前記受信情報を受けて前記受信状態を判定し、前記第１の受信方向の判定結果と前記第１，第２の方向の各々の判定結果から第２の受信方向を決定し、前記第２の受信方向から正および負の向きに前記第２の角度より小さい第３の角度ずつ回転させた第３，第４の方向を前記アンテナに対して各々指定し、前記第３，第４の方向の各々に対応する前記受信情報を受けて前記受信状態を判定し、前記第２の受信方向の判定結果と前記第３，第４の方向の各々の判定結果から第３の受信方向を決定し、前記第３の受信方向を前記放送信号の前記受信方向として決定する方向決定部とを備える、受信装置。
【請求項３】
前記方向決定部は、外部から前記初期方向の情報を受信して、前記第１の受信方向を決定する、請求項２に記載の受信装置。
【請求項４】
前記受信装置は、前記初期方向の情報を記憶する記憶部をさらに備え、前記第３の受信方向の情報は前記記憶部に記憶される、請求項２に記載の受信装置。
【請求項５】
前記方向決定部は、外部からの指示に応じて、前記初期方向の情報を前記記憶部から読み出すか外部から受信するかを切換える、請求項４に記載の受信装置。
【請求項６】
前記受信部は、デジタルテレビ放送信号およびアナログテレビ放送信号を受信して前記受信情報を出力する、請求項２に記載の受信装置。
【請求項７】
前記受信部は、
前記デジタルテレビ放送信号を受信し、所定の誤り訂正処理を行なって得られる誤り率に応じた前記受信情報を出力するデジタルデコーダと、
前記アナログテレビ放送信号を受信し、所定の同期信号捕捉処理を行なった結果に応じた前記受信情報を出力するアナログデコーダとを含む、請求項６に記載の受信装置。
【発明の詳細な説明】
【技術分野】
【０００１】
この発明は受信装置に関し、特に受信方向の切換えが可能なアンテナから放送信号を受信する受信装置に関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号（以下、放送信号と称する）の受信には八木アンテナが用いられる。
【０００３】
八木アンテナは、反射器、放射器および導波器で構成され、反射器の働きにより導波器側へ強い指向性を有するとともに利得が大きいといった長所を有する。
【０００４】
良好な受信のため、八木アンテナは放送局の方向とその指向性が一致するように設置される。一般的には八木アンテナは家屋の屋根等に固定して設置されるので、一旦設置されてしまうと、その指向性を変更することは容易ではない。
【０００５】
そのため、複数の放送局が分散して存在している場合には、八木アンテナはその指向性に応じた特定の方向にある放送局の放送信号しか受信できなかった。
【０００６】
そこで、指向性を切換えることによって分散して存在する各放送局からの電波を受信できるアンテナ（スマートアンテナ）が提案されている。
【０００７】
このスマートアンテナは、たとえば複数のアンテナ素子で構成され、各アンテナ素子が適切な振幅および位相によって励振されることで指向性を切換えることができる。
【０００８】
したがって、上述のスマートアンテナを用いることで、放送局が分散して存在している場合でも各放送局からの電波が受信可能となる。
【０００９】
受信方向を切換えるアンテナの例として、たとえば特開平７−７４４２号公報（特許文献１）では、アンテナを所定角度回転させたときに得られるＡＧＣ電圧の極値からアンテナ位置を設定する回転式アンテナの衛星自動追尾制御方法が開示される。また、特開平１１−２９８２２６号公報（特許文献２）には、複数のアンテナ素子を含むアレイアンテナを用い、受信チャネルを変更するごとにアンテナの指向性を全方角にスキャンさせてアンテナの指向性を設定するビームステアリング機能付き受信機の例が開示される。
【特許文献１】特開平７−７４４２号公報
【特許文献２】特開平１１−２９８２２６号公報
【発明の開示】
【発明が解決しようとする課題】
【００１０】
ユーザの利便性の観点から、放送信号を受信する受信装置の多くはテレビ放送に割当てられているチャネル群から視聴可能なチャネルを検索して受信可能なチャネルを決定する、いわゆるオートスキャン機能を有している。特に、デジタルテレビ放送およびアナログテレビ放送が視聴可能な受信装置ではアナログテレビ放送のみ受信する場合よりも検索対象のチャネル数が多くなる。よってオートスキャン機能はユーザの利便性を向上する点で受信装置にとって今後さらに重要な機能になる。
【００１１】
しかしスマートアンテナを用いた従来の受信装置の受信方向検索処理では、割当てられたチャネルに対する受信方向の決定のために全方向が検索対象となっていた。よって、受信可能なチャネル数が増えるほど全体の検索時間が長くなるという課題があった。
【００１２】
この発明は上述の課題を解決するものであって、その目的は、選局に応じて受信方向を切換えるアンテナに受信方向を指示する受信装置において、受信方向設定のための方向検索処理に要する時間を短縮することが可能な受信装置を提供することである。
【課題を解決するための手段】
【００１３】
この発明は要約すれば、受信方向の切換えが可能なアンテナに対して受信方向を指定して放送信号を受信する受信装置であって、放送信号を受信して放送信号の受信状態を示す受信情報を出力する受信部を備える。
【００１４】
受信部は、デジタルテレビ放送信号を受信し、所定の誤り訂正処理を行なって得られる誤り率に応じた受信情報を出力するデジタルデコーダと、アナログテレビ放送信号を受信し、所定の同期信号捕捉処理を行なった結果に応じた受信情報を出力するアナログデコーダとを含む。
【００１５】
受信装置は、初期方向および初期方向から３６０度にわたり９０度ずつ回転させた方向の各々をアンテナに対して指定し、各方向に対応する受信情報を受けて受信状態を判定して第１の受信方向を決定し、第１の受信方向から正および負の向きに４５度ずつ回転させた第１，第２の方向をアンテナに対して各々指定し、第１，第２の方向の各々に対応する受信情報を受けて受信状態を判定し、第１の受信方向の判定結果と第１，第２の方向の各々の判定結果から第２の受信方向を決定し、第２の受信方向から正および負の向きに２２．５度ずつ回転させた第３，第４の方向をアンテナに対して各々指定し、第３，第４の方向の各々に対応する受信情報を受けて受信状態を判定し、第２の受信方向の判定結果と第３，第４の方向の各々の判定結果から第３の受信方向を決定し、第３の受信方向を放送信号の受信方向として決定する方向決定部をさらに備える。
【００１６】
この発明の別の局面に従うと、受信方向の切換えが可能なアンテナに対して受信方向を指定して放送信号を受信する受信装置であって、放送信号を受信して放送信号の受信状態を示す受信情報を出力する受信部と、初期方向および初期方向から３６０度にわたり第１の角度ずつ回転させた方向の各々をアンテナに対して指定し、各方向に対応する受信情報を受けて受信状態を判定して第１の受信方向を決定し、第１の受信方向から正および負の向きに第１の角度より小さい第２の角度ずつ回転させた第１，第２の方向をアンテナに対して各々指定し、第１，第２の方向の各々に対応する受信情報を受けて受信状態を判定し、第１の受信方向の判定結果と第１，第２の方向の各々の判定結果から第２の受信方向を決定し、第２の受信方向から正および負の向きに第２の角度より小さい第３の角度ずつ回転させた第３，第４の方向をアンテナに対して各々指定し、第３，第４の方向の各々に対応する受信情報を受けて受信状態を判定し、第２の受信方向の判定結果と第３，第４の方向の各々の判定結果から第３の受信方向を決定し、第３の受信方向を放送信号の受信方向として決定する方向決定部とを備える。
【００１７】
好ましくは、方向決定部は、外部から初期方向の情報を受信して、第１の受信方向を決定する。
【００１８】
好ましくは、受信装置は、初期方向の情報を記憶する記憶部をさらに備え、第３の受信方向の情報は記憶部に記憶される。
【００１９】
より好ましくは、方向決定部は、外部からの指示に応じて、初期方向の情報を記憶部から読み出すか外部から受信するかを切換える。
【００２０】
好ましくは、受信部は、デジタルテレビ放送信号およびアナログテレビ放送信号を受信して受信情報を出力する。
【００２１】
より好ましくは、受信部は、デジタルテレビ放送信号を受信し、所定の誤り訂正処理を行なって得られる誤り率に応じた受信情報を出力するデジタルデコーダと、
アナログテレビ放送信号を受信し、所定の同期信号捕捉処理を行なった結果に応じた受信情報を出力するアナログデコーダとを含む。
【発明の効果】
【００２２】
この発明の受信装置によれば、受信可能なチャネルの受信方向を設定するのに要する時間を短縮することが可能になる。また、この発明の受信装置によれば、方向検索処理におけるユーザの負担を軽減することが可能になる。
【発明を実施するための最良の形態】
【００２３】
以下において、本発明の実施の形態について図面を参照して詳しく説明する。なお、図中同一符号は同一または相当部分を示す。
【００２４】
［実施の形態１］
図１は、実施の形態１の受信装置の構成の一例を示すブロック図である。
【００２５】
図１を参照して、受信装置１は、アンテナ３０から放送信号を受信し、アンテナ３０に対してチャネルが切換るごとに、受信方向を切換えるための切換指示を出力する。また、受信装置１は、テレビ４０に対して映像信号および音声信号を出力する。
【００２６】
アンテナ３０はスマートアンテナである。たとえば、アンテナ３０は複数のアンテナ素子を含む。各々のアンテナ素子の駆動が受信装置１の切換指示に応じた振幅および位相によって励振されることでアンテナ３０の受信方向が決定される。また、別の例として、たとえば、アンテナ３０はパルス信号である切換指示を受け、受けたパルス信号の数に応じて回転角度を変化させるステッピングモータを備える。なお、アンテナ３０が受信するテレビ放送は地上放送あるいは衛星放送のいずれであってもよい。
【００２７】
受信装置１は、アンテナ３０から放送信号を受信して所定の信号処理を行ない、映像信号および音声信号を出力するとともに、放送信号の受信状態を示す受信情報を出力する受信部２と、チャネルに応じた受信方向を検索して決定する方向検索処理において、受信部２から受信情報を受信して放送信号が受信されたか否かを判定する判定処理を行ない、判定処理の結果から受信方向を決定する方向決定部３とを備える。
【００２８】
受信部２は、チューナ１０と、デジタルデコーダ１２と、アナログデコーダ１４と、ＭＰＥＧデコーダ１６とを含む。
【００２９】
チューナ１０は、受信した放送信号の中から選択されたチャネルに対応する放送信号を抽出して出力する。デジタルデコーダ１２は、チューナ１０から放送信号を受け、ＭＰＥＧ（Moving Picture Experts Group)信号に復号するとともに、誤り訂正処理を行なって放送信号に含まれるデータの誤り率を演算し、その誤り率を受信情報として出力する。
【００３０】
ここで、デジタルテレビ放送信号は、リード・ソロモン符号および畳み込み符号で符号化されて送信される。そのため、デジタルデコーダ１２は、上述の復号処理において誤り訂正ができる。この誤り訂正の処理過程において、デジタルデコーダ１２は、受信した放送信号の受信データ誤り率を演算し、その受信データ誤り率を制御部２０へ出力する。このとき、デジタルデコーダ１２は、受信した放送信号に含まれる所定のデータ数毎に誤り訂正を行なうので、受信開始から１フレーム（１／３０秒）以内で受信データ誤り率の演算ができる。
【００３１】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１２は、上述のいずれの方式を用いてもよい。
【００３２】
アナログデコーダ１４は、チューナ１０から受けた放送信号を復号してデジタル信号に変換し、映像および音声のデジタル信号をＭＰＥＧデコーダ１６に出力する。アナログデコーダ１４は映像信号の復号を行なうため、たとえば周波数分離処理、同期信号分離処理などの各種処理によって水平同期信号および垂直同期信号を捕捉する。アナログデコーダ１４は水平同期信号の捕捉結果を受信情報として出力する。
【００３３】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３４】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否を検出できる。
【００３５】
したがって、この発明の実施の形態１におけるアナログデコーダ１４は、上述のいずれの方式を用いてもよい。
【００３６】
ＭＰＥＧデコーダ１６は、デジタルデコーダ１２またはアナログデコーダ１４から受けた信号を映像信号および音声信号に復号してテレビ４０に出力する。
【００３７】
方向決定部３は、制御部２０と、受信方向切換部２２とを含む。
【００３８】
制御部２０はチューナ１０にチャネルを指示し、デジタルデコーダ１２またはアナログデコーダ１４から受信情報を受けて判定処理を行ない、指示したチャネルに対するアンテナ３０の受信方向を決定する。
【００３９】
制御部２０での判定処理の例について説明する。たとえばデジタルデコーダ１２から送られる誤り率の結果が所定の基準値（たとえば１０％）以下であれば、放送信号が受信されたと判定される。また、たとえばアナログデコーダ１４から受信情報として水平同期信号が捕捉されたことを示す信号が送られると放送信号が受信されたと判定される。
【００４０】
制御部２０は、判定処理のプログラムを実行するＣＰＵ（Central Processing Unit）２０Ａと、実行されるプログラムやプログラム実行結果、方向検索処理によって決定された受信方向の情報をチャネルごとに記憶するメモリ２０Ｂとを含む。
【００４１】
受信方向切換部２２は、制御部２０からアンテナ３０の受信方向に関する情報を受信し、その情報に応じた方向に受信方向を切換えるようアンテナ３０に切換指示を送る。
【００４２】
受信装置１は、さらに、リモコン４２からの指令を受信して制御部２０に方向検索処理開始を指示する信号を送るリモコン受信部４４を備える。
【００４３】
図２は、図１のアンテナ３０の受信方向の例を説明する図である。
【００４４】
図２を参照して、アンテナ３０の受信方向には時計回りに１〜１６までの番号が付される。各番号と方角との対応付けは方向検索処理の前に設定される。たとえば番号１の方向に対応する方角は北であり、番号５，９，１３は東、南、西の方角にそれぞれ対応する。なお、以後、受信方向を説明する際には方角を用いて説明する。
【００４５】
図３は、図１の受信装置１の方向検索処理の概要を示すフローチャートである。
【００４６】
図３を参照して、処理が開始されると、まずステップＳ１では、ユーザによって方向検索処理を開始するための初期方向が設定される。初期方向は、たとえばユーザがリモコンを操作してテレビ４０の画面に方向選択メニューを表示させ、メニュー内で方角を選択することによって決定される。決定された初期方向の情報はたとえば図１のメモリ２０Ｂに記憶される。
【００４７】
以後の処理は方向決定部３によって行なわれる。ステップＳ２ではアナログ放送およびデジタル放送のチャネル群から受信方向を決定するためのチャネルが選択される。次に、ステップＳ３ではメモリ２０Ｂから初期方向の情報が読み出される。続いて、ステップＳ４では後述する方向検索処理が行なわれ、選択されたチャネルの放送信号に対する受信方向が決定される。
【００４８】
続いて、ステップＳ５においてアナログ放送およびデジタル放送で割当てられたチャネルに対し、受信方向が設定されている場合には処理が終了する。一方、受信方向が設定されていないチャネルが存在する場合にはステップＳ２に戻る。
【００４９】
図４は、図３のステップＳ４の処理を詳細に示すフローチャートである。
【００５０】
図４を参照して、処理が開始されると、まずステップＳ１１ではアンテナ３０の受信方向として、初期方向、および初期方向から９０°、１８０°および２７０°回転させた方向の計４つの方向が各々指定され、各方向に対応する受信情報を受けて受信状態を判定した結果から第１の受信方向が決定される全方向検索処理が行なわれる。
【００５１】
続いてステップＳ１２では、第１の受信方向が存在するかどうかが判定される。第１の受信方向が存在する場合には後述するステップＳ１３に進む。一方、ステップＳ１１で指定された４つの方向の中に第１の受信方向が存在しない場合、該当のチャネルの放送信号は受信できないと判断され、処理が終了する。
【００５２】
続いてステップＳ１３では、第１の受信方向に対し＋４５°および−４５°の方向にアンテナ３０の受信方向が指定され、各々の受信方向に対する方向検索処理の結果から第２の受信方向が決定される、第１の絞込み検索が行なわれる。
【００５３】
続いてステップＳ１４では、第２の受信方向に対し＋２２．５°および−２２．５°の方向にアンテナ３０の受信方向が指定され、各々の受信方向に対する方向検索処理の結果から第３の受信方向が決定される、第２の絞込み検索が行なわれる。ステップＳ１４で第３の受信方向が決定されると処理が終了する。
【００５４】
図５は、図４の各々のステップで指定される受信方向の例を示す図である。
【００５５】
図５を参照して、指定結果Ａ１は図４のステップＳ１１で初期方向が北の場合に指定される受信方向の例を示す。ステップＳ１１では初期方向および初期方向から９０°、１８０°および２７０°だけ回転させた方向、つまり北、東、南、西がアンテナ３０に指定されて全方向検索処理が行なわれ、第１の受信方向が決定される。
【００５６】
指定結果Ａ２は図４のステップＳ１３で第１の受信方向が北の場合に指定される受信方向の例を示す。ステップＳ１３では北を中心に±４５°の方向、つまり北東および北西がアンテナ３０に指定され、北、北東、北西の中から第２の受信方向が決定される第１の絞込み検索が行なわれる。
【００５７】
指定結果Ａ３は図４のステップＳ１４で第２の受信方向が北の場合に指定される受信方向の例を示す。ステップＳ１４では北を中心に±２２．５°の方向、つまり北北東および北北西の方角がアンテナ３０に指定され、北、北北東、北北西の中から第３の受信方向が決定される第２の絞込み検索が行なわれる。
【００５８】
指定結果Ａ４は図４のステップＳ１１〜Ｓ１４によって決定された受信方向を示す。図５で示される例では、受信方向は北である。
【００５９】
要約すると、全方向検索では指定結果Ａ１に示されるように４方向に対して検索処理が行なわれ、第１，第２の検索処理では指定結果Ａ２，Ａ３に示されるようにそれぞれ指定方向を中心とした２方向に対して検索処理が行なわれる。検索回数は８回になり、１６方向に受信方向を切換えることが可能なアンテナでは全方向を検索する場合に比較して検索回数が半分になる。全方向検索時に大まかなアンテナの受信方向を決定することによって以後の方向検索に要する時間が短縮される。
【００６０】
図６は、図４のステップＳ１１の処理を詳細に示すフローチャートである。
【００６１】
図６を参照して、処理が開始されると、まずステップＳ２１ではアンテナ３０の受信方向が初期方向に指定される。
【００６２】
続いて、ステップＳ２２では初期方向から受信した放送信号の受信情報によって受信状態が判定される判定処理が行なわれる。
【００６３】
判定処理の例について説明する。たとえば図１のデジタルデコーダ１２から送られる誤り率の結果が所定の基準値（たとえば１０％）以下であれば、放送信号が受信されたと判定される。また、たとえば図１のアナログデコーダ１４から送られる受信情報が水平同期信号を捕捉したことを示す信号であれば、放送信号が受信されたと判定される。
【００６４】
続いて、ステップＳ２３では、指定された４つの方向の各々に対して判定処理が行なわれたか否かによって以後の処理が分岐される。４つの方向のすべてに対して判定処理が行なわれた場合にはステップＳ２４に進む。ステップＳ２４では４つの方向のうち、放送信号の受信が可能と判定された方向が第１の受信方向に決定される。
【００６５】
なお、ステップＳ２２での判定処理の結果、放送信号の受信が可能と判定された方向が２つ以上ある場合には、以下に示す処理が行なわれる。
【００６６】
たとえば北および東の２つの方向が受信可能な方向と判定される場合、ステップＳ２４ではアンテナ３０の方向が２つの方向の中間にある方向、つまり北東に指定され、受信情報が取得される。ステップＳ２４では、北、東、北東の各々に対応する受信情報から受信レベルが最も高くなる方向が第１の受信方向に決定される。
【００６７】
放送信号がデジタル放送信号であれば、たとえば誤り率が最も低くなる方向が第１の受信方向に決定される。また、放送信号がアナログ放送信号を受信する場合であれば、たとえば水平同期信号の捕捉結果が最も良好な方向が第１の受信方向に決定される。
【００６８】
さらに、ステップＳ２４で受信可能と判定される方向が３つある場合、３つのうちの２つの方向の間の方向にアンテナ３０の方向が指定され、各々の方向に対する受信情報が取得される。たとえば、受信可能な方向が北，東，南であれば、アンテナ３０の方向が北東および南東に指定され、指定された各々の方向に対する受信情報が取得され、上述のように受信レベルが最も高い方向が第１の受信方向に決定される。
【００６９】
なお、４つの方向のいずれも受信可能な方向と判定される場合は異常受信と判断され、第１の受信方向処理は決定されずに処理が終了する。
【００７０】
一方、ステップＳ２３において判定処理が行なわれていない受信方向が１つでも存在する場合にはステップＳ２５に進む。ステップＳ２５では、アンテナ３０の受信方向がまだ検索を行なっていない方向に指定され、再びステップＳ２２に戻る。
【００７１】
ステップＳ２４で第１の受信方向が決定されると処理が終了する。
【００７２】
図７は、図４のステップＳ１３の処理を詳細に示すフローチャートである。
【００７３】
図７を参照して、処理が開始されると、まずステップＳ３１では第１の受信方向に対し＋４５°の方向にアンテナ３０の受信方向が指定される。次にステップＳ３２では図６のステップＳ２２と同様に、指定された方向で放送信号が受信可能か否かを判定する判定処理が行なわれる。
【００７４】
続いて、ステップＳ３３では第１の受信方向に対し−４５°の方向にアンテナ３０の受信方向が指定される。ステップＳ３４ではステップＳ３２と同様に判定処理が行なわれる。
【００７５】
続いて、ステップＳ３５では、第１の受信方向、および第１の受信方向に対し±４５°の方向、つまり３つの方向から第２の受信方向を決定する決定処理が行なわれる。
【００７６】
なお、ステップＳ３５での決定処理は図６のステップＳ２４での決定処理と同様に、受信可能な方向が２つ以上ある場合、さらに受信可能な方向の間にある方向が指定されて受信情報が取得され、ステップＳ３２，Ｓ３４で受信可能と判定された方向およびステップＳ３５で指定された方向の中から最も受信レベルの高い方向が第２の受信方向に決定される。
【００７７】
図８は、図４のステップＳ１４の処理を詳細に示すフローチャートである。
【００７８】
図８を参照して、処理が開始されると、まずステップＳ４１では第２の受信方向に対し＋２２．５°の方向にアンテナ３０の受信方向が指定される。次にステップＳ４２では図７のステップＳ３２と同様に、判定処理が行なわれる。
【００７９】
続いて、ステップＳ４３では第２の受信方向に対し−２２．５°の方向にアンテナ３０の受信方向が指定される。ステップＳ４４ではステップＳ４２と同様に判定処理が行なわれる。
【００８０】
続いて、ステップＳ４５では、第２の受信方向および第２の受信方向に対し±２２．５°の方向、つまり３方向から第３の受信方向を決定する決定処理が行なわれる。
【００８１】
以上のように実施の形態１の受信装置によれば、最初に指定した４つの方向から第１の受信方向を決定し、次に第１の受信方向を中心にして周囲の方向を検索することで検索処理回数を減少させ、検索時間を短縮させることが可能になる。
【００８２】
さらに、実施の形態１の受信装置によれば、最も多くのチャネルの放送信号を受信可能な方向をユーザが初期方向として指定することによって方向検索に要する時間を短縮することが可能になる。
【００８３】
［実施の形態２］
実施の形態２の受信装置は、方向検索処理におけるユーザの操作負担を軽減することが可能な受信装置である。
【００８４】
図９は、実施の形態２の受信装置の構成の一例を示すブロック図である。
【００８５】
図９を参照して、受信装置１Ａは、メモリ２４を含む点において図１の受信装置１と異なり、その他の部分については受信装置１と同様である。よって、受信装置１と同様の部分についての説明は以後繰返さない。
【００８６】
メモリ２４は、方向検索処理によってチャネルごとに決定される第３の受信方向の情報を次回の方向検索処理における初期方向の情報として記憶する。なお、受信装置１Ａの出荷時（初期状態）において、メモリ２４には初期方向の情報が予め書き込まれていてもよいし、書き込まれていなくてもよい。
【００８７】
メモリ２４は不揮発的に情報を保持する記憶装置であり、たとえばフラッシュメモリである。
【００８８】
制御部２０はユーザの指定により、リモコン受信部４４から入力される情報かメモリ２４に記憶される情報のいずれかを切換えて、方向検索処理における初期方向の情報を取得する。
【００８９】
図１０は、図９の受信装置１Ａにおける方向検索処理を示すフローチャートである。
【００９０】
図１０を参照して、処理が開始されると、まずステップＳ５１では制御部２０によってメモリ２４に初期方向のデータが記憶されているか否かが確認される。
【００９１】
続いて、ステップＳ５２においてデータが記憶されている場合にはステップＳ５３に進み、記憶されていない場合にはステップＳ５４に進む。
【００９２】
ステップＳ５３では、メモリ２４に記憶されている情報を使用するか否かがユーザによって決定され、ユーザの決定によって以後の処理が分岐される。ステップＳ５３において記憶されている情報が使用される場合にはステップＳ５５に進む。一方、記憶されている情報が使用されず、ユーザによって受信方向が再度指定される場合にはステップＳ５４に進む。
【００９３】
ステップＳ５４では、図３のステップＳ１と同様に、ユーザがテレビ４０に表示されたメニュー画面をリモコンによって操作することにより、初期方向が指定される。
【００９４】
ステップＳ５３あるいはステップＳ５４に続いて、ステップＳ５５ではアナログ放送およびデジタル放送のチャネル群から受信方向を決定するためのチャネルが選択される。
【００９５】
ステップＳ５６では、制御部２０は方向検索処理のため初期方向のデータを読出す。ステップＳ５３で初期方向のデータがユーザによって指定されたデータを使用すると決定された場合、ＣＰＵ２０Ａは、メモリ２０Ｂに一時的に記憶されているユーザ指定のデータを読み出す。一方、ステップＳ５３でメモリ２４に記憶されているデータを読み出すと決定された場合、ＣＰＵ２０Ａは、チャネルに応じた受信方向のデータをメモリ２４から読出す。
【００９６】
続いてステップＳ５７では図３のステップＳ４と同様の方向検索処理が行なわれる。
【００９７】
さらに、ステップＳ５８においてアナログ放送およびデジタル放送で割当てられたチャネルに対し受信方向が設定されている場合には処理が終了する。一方、受信方向が設定されていないチャネルが存在する場合にはステップＳ５５に戻る。
【００９８】
以下、実施の形態２の受信装置によって得られる効果について説明する。
【００９９】
たとえば、転居などの理由によって受信装置の設置場所が移動した場合、一般的に受信方向の再設定が行なわれる。実施の形態１の受信装置では、受信方向の再設定時にユーザが初期方向を指定する必要がある。よって、設置場所の移動のたびに、ユーザはできるだけ多くのチャネルの放送信号が受信可能な方向を把握して、その方向を受信装置に指定する必要がある。
【０１００】
一方、実施の形態２の受信装置では、メモリにチャネルごとの受信方向が予め記憶されている場合、ユーザは受信方向を指定することなく初回の方向検索処理を実行させることができる。また、メモリにチャネルごとの受信方向が予め記憶されていない場合であっても、一旦方向検索処理が実行されるとチャネルごとの受信方向がメモリに記憶される。よって、たとえば受信装置の設置場所が移動した場合、ユーザが移動場所における最適な受信方向を把握していなくても、実施の形態２の受信装置では方向検索処理が実行可能である。
【０１０１】
以上のように実施の形態２によれば、実施の形態１と同様に、最初に指定した４つの方向から第１の受信方向を決定し、次に第１の受信方向を中心にして周囲の方向を検索することで検索処理回数を減少させ、検索時間を短縮させることが可能になる。
【０１０２】
さらに、実施の形態２によれば、ユーザが初期方向を指定する手間を省くことが可能になるのでユーザの操作負担が軽減される。
【０１０３】
なお、実施の形態１，２において示されるアンテナ３０の受信方向の数、全方向検索や第１，第２の絞込み検索の角度は、この発明を説明するための一例である。たとえばアンテナ３０の受信方向の数が２４の場合であれば、全方向検索での角度を６０°として６方向を選択し、第１の絞込み検索の角度を±３０°、第２の絞込み検索を±１５°としてもよい。つまり、アンテナ３０の受信方向の数に応じて全方向検索での角度および第１，第２の絞込み検索での角度は適切に設定される。
【０１０４】
また、実施の形態１，２の受信装置では初期方向はユーザによって指定される例を示したが、受信装置によって予め初期方向が指定されても良い。この場合、初期方向が最適な受信方向に対して大きくずれていると検索時間が長くなる可能性があるが、ユーザが初期方向を指定する必要がなくなり、ユーザの操作負担がさらに軽減される。
【０１０５】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【０１０６】
【図１】実施の形態１の受信装置の構成の一例を示すブロック図である。
【図２】図１のアンテナ３０の受信方向の例を説明する図である。
【図３】図１の受信装置１の方向検索処理の概要を示すフローチャートである。
【図４】図３のステップＳ４の処理を詳細に示すフローチャートである。
【図５】図４の各々のステップで指定される受信方向の例を示す図である。
【図６】図４のステップＳ１１の処理を詳細に示すフローチャートである。
【図７】図４のステップＳ１３の処理を詳細に示すフローチャートである。
【図８】図４のステップＳ１４の処理を詳細に示すフローチャートである。
【図９】実施の形態２の受信装置の構成の一例を示すブロック図である。
【図１０】図９の受信装置１Ａにおける方向検索処理を示すフローチャートである。
【符号の説明】
【０１０７】
１，１Ａ  受信装置、２  受信部、３  方向決定部、１０  チューナ、１２  デジタルデコーダ、１４  アナログデコーダ、１６  ＭＰＥＧデコーダ、２０  制御部、２０Ａ  ＣＰＵ、２０Ｂ，２４  メモリ、２２  受信方向切換部、３０  アンテナ、４０  テレビ、４２  リモコン、４４  リモコン受信部、Ｓ１〜Ｓ５８  ステップ、Ａ１〜Ａ４  指定結果。
【図１】
2006042161.tif 000003
【図２】
2006042161.tif 000004
【図３】
2006042161.tif 000005
【図４】
2006042161.tif 000006
【図５】
2006042161.tif 000007
【図６】
2006042161.tif 000008
【図７】
2006042161.tif 000009
【図８】
2006042161.tif 000010
【図９】
2006042161.tif 000011
【図１０】
2006042161.tif 000012